(57)【要約】【課題】  チェーンに取り付けたアタッチメントに対し、複数のグリップゴムを一度に容易に装着できる新規なグリップゴム装着装置を開発する。【解決手段】  アタッチメントを取り付けたチェーンを該アタッチメントのグリップゴムを取り付ける部分が露出する状態で挿通自在のガイドレールと、該ガイドレールにセットしたアタッチメントの下部フック部に下端を係止して斜めに立設した複数のグリップゴムの上方からグリップゴムを押圧変形可能に昇降自在の押圧板と、該押圧板で押圧した複数のグリップゴムをアタッチメントに押し込む水平方向に進退自在の押込板とを有するグリップゴム装着装置により、複数のグリップゴムを一度に容易に装着できる。【選択図】      図７
2005298183.tif 000002
【特許請求の範囲】
【請求項１】
チェーンに取り付けたアタッチメントに、筒状のグリップゴムを、前記アタッチメントの板状本体の表面側上下２個所から前方側に突出形成したフック部が上下から挟み込むようにして装着するグリップゴム装着装置であって、
アタッチメントを取り付けたチェーンを該アタッチメントのグリップゴムを取り付ける部分が露出する状態で挿通自在のガイドレールと、
該ガイドレールにセットしたアタッチメントの下部フック部に下端を係止して斜めに立設した複数のグリップゴムの上方からグリップゴムを押圧変形可能に昇降自在の押圧板と、
該押圧板で押圧した複数のグリップゴムをアタッチメントに押し込む水平方向に進退自在の押込板とを有することを特徴とするグリップゴム装着装置。
【請求項２】
請求項１の装着装置において、前記押込板の前端面を、グリップゴムの前記押込板と接触する部分の外周形状に適合する凹凸面としたことを特徴とするグリップゴム装着装置。
【請求項３】
請求項１又は２の装着装置において、前記押圧板の長さ方向に沿って折曲部を設け、押圧板先端を折り曲げ可能としたことを特徴とするグリップゴム装着装置。
【請求項４】
請求項１、２又は３の装着装置において、前記押込板の上面に、押込板の前端から前方下向きに突出し、先端で前記グリップゴムの内周面に接触してこれを押し込むための複数の爪を有する爪板を設け、前記押圧板の下端部に、前記爪と干渉しないための櫛歯状の切欠を設けたことを特徴とするグリップゴム装着装置。
【発明の詳細な説明】
【技術分野】
【０００１】
本発明は、チェーンコンベアなどとして用いるグリップゴム付きのチェーンにグリップゴム装着するグリップゴム装着装置に関する。
【背景技術】
【０００２】
平行して配置したグリップゴム付チェーンのグリップで物品を挟持し、搬送するチェーンコンベアが知られている。この種のチェーンコンベアは、例えば下記の特許文献１に開示されている。
【特許文献１】特開平１１−２４０６０６号公報
【０００３】
また、図１〜６は本発明装置に用いて好適なグリップゴム付きチェーン１に関するもので、図１はグリップゴム付きチェーン１の正面図、図２はグリップゴム付きチェーン１の背面図、図３は図２におけるＡＡ線断面図、図４はアタッチメント３の斜視図、図５はグリップゴム４の斜視図、図６はグリップゴム付きチェーン１の使用例の平面説明図である。
【０００４】
グリップゴム付きチェーン１は、チェーン２、アタッチメント３及びグリップゴム４からなる。チェーン２は通常のローラチェーンで、板金をローラのはまったピン２ａで連結したものである。アタッチメント３は硬質のプラスチック製で、板状本体３ａの背面の上下２個所から背面側に突出形成した係合部３ｂでチェーン２を上下から挟み込んでチェーン２に取り付ける。係合部３ｂに形成された孔３ｄにチェーン２のピン２ａが係合するので、チェーンから容易に脱落しない。また板状本体３ａの上下両端から表面側にフック部３ｃが突出形成されている。グリップゴム４は弾性に富んだゴム製で、筒状をなし、縦方向に貫通する内孔４ａが形成され、前記フック部３ｃに上下から挟み込まれてアタッチメント３に取り付けられる。内孔４ａの上下にフック部３ｃが係合するのでアタッチメントから容易に脱落しない。グリップゴム付きチェーン１は、例えば図６に示すように使用される。すなわち、２列のグリップゴム付きチェーン１を平行に配置して搬送する物品（この場合はガラスびん５）をグリップゴム４で挟持し、２列のグリップゴム付きチェーンを矢印方向に駆動することで、ガラスびん５を矢印方向に搬送する。
【０００５】
従来は、チェーンに取り付けたアタッチメントにグリップゴムを装着する場合、特殊なプライヤーでグリップゴムを上下から挟んで潰し変形させ、アタッチメントの上下フック部の間に差し込む。うまく入らないときはドライバーなどの器具で更に押し込む。
【発明の開示】
【発明が解決しようとする課題】
【０００６】
通常のグリップゴム付きチェーンは、グリップゴムとアタッチメントがそれぞれ数百個ないしはそれ以上あるので、上記の従来方法ように、作業員が手作業で一つずつ装着していたのでは、非常な手間がかかり、効率的ではない。本発明は複数のグリップゴムを一度に容易に装着できる新規なグリップゴム装着装置を開発することを課題としてなされたものである。
【課題を解決するための手段】
【０００７】
（構成１）本発明は、チェーンに取り付けたアタッチメントに、筒状のグリップゴムを、前記アタッチメントの板状本体の表面側上下２個所から前方側に突出形成したフック部が上下から挟み込むようにして装着するグリップゴム装着装置であって、アタッチメントを取り付けたチェーンを該アタッチメントのグリップゴムを取り付ける部分が露出する状態で挿通自在のガイドレールと、該ガイドレールにセットしたアタッチメントの下部フック部に下端を係止して斜めに立設した複数のグリップゴムの上方からグリップゴムを押圧変形可能に昇降自在の押圧板と、該押圧板で押圧した複数のグリップゴムをアタッチメントに押し込む水平方向に進退自在の押込板とを有することを特徴とするグリップゴム装着装置である。
【０００８】
（構成２）また本発明は、前記構成１の装着装置において、前記押込板の前端面を、グリップゴムの前記押込板と接触する部分の外周形状に適合する凹凸面としたことを特徴とするグリップゴム装着装置である。
【０００９】
（構成３）また本発明は、前記１又は２の装着装置において、前記押圧板の長さ方向に沿って折曲部を設け、押圧板先端を折り曲げ可能としたことを特徴とするグリップゴム装着装置である。
【００１０】
（構成４）また本発明は、前記１、２又は３の装着装置において、前記押込板の上面に、押込板の前端から前方下向きに突出し、先端で前記グリップゴムの内周面に接触してこれを押し込むための複数の爪を有する爪板を設け、前記押圧板の下端部に、前記爪と干渉しないための櫛歯状の切欠を設けたことを特徴とするグリップゴム装着装置である。
【発明の効果】
【００１１】
本発明のグリップゴム装着装置は、複数のグリップゴムを一度に容易に装着できる。また、一回グリップゴムの装着が終わったら、ガイドレールのチェーンを送ることで次の装着作業ができるので、グリップゴム装着作業の能率が著しく向上する。
【発明を実施するための最良の形態】
【００１２】
ガイドレールの形状は、アタッチメントのグリップゴムを取り付ける部分が露出する状態で、アタッチメントを取り付けたチェーンを挿通自在であればよく、アタッチメントの形状などに応じて適宜設計される。ガイドレールの材質に特に制限はないが、例えば金属製、プラスチック製などとすることができる。押圧板、押込板の材質に特に制限はないが、例えば金属製、プラスチック製などとすることができる。押圧板、押込板を昇降自在又は進退自在とする手段は種々の周知手段を採用できるが、例えばリンク機構と滑り軸受との組み合わせを採用できる。爪板は金属板を加工したものが好適である。
【実施例】
【００１３】
図７〜９は実施例のグリップゴム装着装置１０に関し、図７は実施例のグリップゴム装着装置１０の側面図、図８は押圧板、押込板及びグリップゴムの位置関係の説明図、図９はグリップゴム装着作業の説明図である。
【００１４】
グリップゴム装着装置１０は、ガイドレール１１、押圧板１２、押込板１３、爪板１４などからなる。
【００１５】
ガイドレール１１は金属製で、図１などに示すように、断面が概略Ｃ形をなし、図９に示すように、アタッチメントを取り付けたチェーンが挿通自在で、アタッチメントを取り付けたチェーンは長さ方向には自由に移動できるが、幅方向及び上下方向は拘束される。
【００１６】
押圧板１２は厚さ９ｍｍの金属板で、ガイドレール１１の頂部から立設した支柱１５の上部に固定された押圧板ベース１６で支持される。押圧板ベース１６には、滑り軸受１７が固定され、ハンドル２０が枢着されている。押圧板１２は、滑り軸受１７に摺動自在に挿通されたロッド１８の下端に固定されている。ロッド１８の上端とハンドル２０の根元付近はリンク片１９の各端部に枢着されている。ハンドル２０を動かすと押圧板１２が矢印Ｂのように昇降する。このように、押圧板１２はやや斜めに昇降する方が望ましい。
【００１７】
押圧板１２は、長さ方向に沿って折曲部２８を設け、この折曲部は蝶番２９によってガイドレール方向に折り曲げ可能である（図９（ウ）参照）。また、押圧板１２の下端部には、櫛歯状の切欠３０が設けられている。
【００１８】
ガイドレール１１の下部には底フレーム２１の一端が固定され、底フレームの他端側には押込板ベース２２が固定されている。押込板ベース２２には滑り軸受２３が固定され、レバー２６が枢着されている。押込板１３は、滑り軸受２３に摺動自在に挿通されたロッド２４の先端に固定されている。ロッド２４の後端とハンドル２６の根元付近はリンク片２５の各端部に枢着されている。ハンドル２６を動かすと押込板１３が矢印Ｃのように水平方向に進退する。
【００１９】
押込板１３はプラスチック製で、厚さ２０ｍｍの板状をなし、その前端面は、グリップゴムの外側面（押込板と接触する部分）の外周形状に適合する凹凸面３１となっている。押込板１３の上面には爪板１４がボルト３２で固定されている。爪板１４は、押込板１３の前端から前方下向きに突出する爪１４ａを有する。爪１４ａは、グリップゴムを押し込むとき、先端がグリップゴムの内周面に接触してこれを確実に押し込むためのものである。
【００２０】
図８は押圧板１２、押込板１３及びグリップゴム４との位置関係を示し、上段が押圧板１２の正面図、中段が整列したグリップゴム４の平面図、下段が押込板１３の平面図を表している。押込板１３とグリップゴム４の位置関係は、凹凸面３１とグリップゴム４の外周面が一致する位置とする。すなわち、押込板を真っ直ぐ前進させたとき、凹凸面３１の各凹部に各グリップゴムの外周面が入り込む位置である。このようにすると、各爪１４ａは、ちょうど各グリップゴム４の内孔４ａのほぼ中心に位置することとなる。押圧板１２と押込板１３との位置関係は、爪１４ａが切欠３０のほぼ中心となる位置である。これにより、押圧板１２が下降している状態で、押込板１３が前進しても、爪１４ａは切欠３０の中を通り抜けるので、押圧板１２と爪１４ａは干渉しない。この実施例の場合、８個のグリップゴムを同時に装着することができる。
【００２１】
次に、グリップゴムを装着する手順を図９に基づいて説明する。まず、ガイドレール１１にアタッチメント３を取り付けたチェーン２を挿通してセットする。次に、８個のアタッチメントの下部フック部にグリップゴム４の下端を係止して、アタッチメントの正面にグリップゴムを斜めに立設する。押圧板１２の角度及び昇降角度はこのときのグリップゴムの立設角度とほぼ等しくすることが望ましい。次に、押込板１３をやや前進させてグリップゴム４と凹凸面３１の位置関係を確認し、チェーンの位置を微調整する。図９（ア）はこの状態を示している。
【００２２】
次に、ハンドル２０を押し下げて押圧板１２を下降させ、押圧板の下端面でグリップゴム４を押圧し、変形させる。図９（イ）はこの状態を示している。
【００２３】
次に、ハンドル２６を奧側に倒して押込板１３を前進させ、グリップゴムをアタッチメント３の上下のフック部３ｃの間に押し込む。このとき、凹凸面３１がグリップゴム４の外側面を押すのみならず、爪１４ａ先端がグリップゴムの内周面に接触してこれを押し込むため、グリップゴムを確実に押し込むことができる。また、押込板１３の折曲部２８の作用で押込板１３の先端部がガイドレール側に折れ曲がるので、押込板１３を前進させるときのグリップゴム４と押圧板１２との摩擦が少なく、滑らかに押し込むことができる。図９（ウ）はこの状態を示している。
【００２４】
次に、図９（エ）に示すように、押圧板１２を上昇させ、更に押込板１３を後退させると、図３に示すように、グリップゴム４がアタッチメント３に装着される。一家の装着が終わったら、ガイドレール内のチェーンをグリップゴム８個分だけ送り、上記と同様にして８個のグリップゴムを装着する。この作業を繰り返すことで、多数のグリップゴムを容易に装着することができる。
【図面の簡単な説明】
【００２５】
【図１】グリップゴム付きチェーン１の正面図である。
【図２】グリップゴム付きチェーン１の背面図である。
【図３】図２におけるＡＡ線断面図である。
【図４】アタッチメント３の斜視図である。
【図５】グリップゴム４の斜視図である。
【図６】グリップゴム付きチェーン１の使用例の平面説明図である。
【図７】実施例のグリップゴム装着装置１０の側面図である。
【図８】押圧板、押込板及びグリップゴムの位置関係の説明図である。
【図９】グリップゴム装着作業の説明図である。
【符号の説明】
【００２６】
１  グリップゴム付きチェーン
２  チェーン
２ａ  ピン
３  アタッチメント
３ａ  本体
３ｂ  係合部
３ｃ  フック部
３ｄ  孔
４  グリップゴム
４ａ  内孔
５  ガラスびん
１０  グリップゴム装着装置
１１  ガイドレールレール
１２  押圧板
１３  押込板
１４  爪板
１４ａ  爪
１５  支柱
１６  押圧板ベース
１７  滑り軸受
１８  ロッド
１９  リンク片
２０  レバー
２１  底フレーム
２２  押込板ベース
２３  滑り軸受
２４  ロッド
２５  リンク片
２６  レバー
２７  ローラ
２８  折曲部
２９  蝶番
３０  切欠
３１  凹凸面
３２  ボルト
【図１】
2005298183.tif 000003
【図２】
2005298183.tif 000004
【図３】
2005298183.tif 000005
【図４】
2005298183.tif 000006
【図５】
2005298183.tif 000007
【図６】
2005298183.tif 000008
【図７】
2005298183.tif 000009
【図８】
2005298183.tif 000010
【図９】
2005298183.tif 000011